(57)【要約】      （修正有）【課題】打撲等に用いる湿布材は、塗布されている冷却剤が人体温度近くまで温度が上昇すると、冷却能力が著しく低下してしまう。【解決手段】波型で空洞を持つ湿布基材２を作り、通気性を確保して放熱効果を持たせる。空洞に起こる換気や対流３によって本発明の湿布基材が冷却効果を持ち、人体接触面に塗布された冷却剤がこの湿布基材を介して放熱を行うことで、所望の冷却効果がいつまでも得られる。【選択図】図１
2007075563.tif 000002
【特許請求の範囲】
【請求項１】
湿布基材の形状に凹凸をつけ、皮膚との接触面に空間部を確保することを特徴とした湿布基材。
【請求項２】
請求項１記載の形状基材に対し、凸部に冷却剤を塗布することで冷却効果と冷涼感を持続させることを特徴とする湿布剤。
【発明の詳細な説明】
【発明の詳細な説明】
【技術分野】
【０００１】この発明は、人体の局部的な温度上昇を防ぐ構造を持つ湿布用基材の形状に関するものである。
更に詳細には、腕、足、顔等体に使用する湿布剤を本基材に塗布して用人体に貼付したときの冷却効果の強化、並びに冷却効果時間の延長を図るための目的に関するものである。
【背景技術】
【０００２】従来の湿布材は、図３、図４に示すように、冷却剤塗布面を人体皮膚面に対して全面的に接触させ、図３の５に示すような人体接触面側に塗布されている冷却剤で患部の熱を吸収して放熱させることにより患部の冷却を図るものであった。
通気性を考慮したものには図１６に示すように人体接触面に碁盤目模様の溝を入れたもの、図１７に示すように湿布基材に小孔を開けたもの、図１８に示すように基材そのものに通気性のある素材を使用したものがある。
しかし、本発明のように湿布基材そのものに通気性確保のための変形を施して冷却効果と冷却力維持時間を高めようとする考えの従来技術は無い。
【発明の開示】
【発明が解決しようとする課題】
【０００３】従来技術の実施例である、図３の方法では、湿布剤の吸熱効果は使用されている湿布材が吸熱により患部の体温と近い温度に達すれば、それ以上の物理的な冷却効果は減衰するという課題があった。【０００４】従来技術による、図１６、図１７、図１８の方法では、人体接触面部分には冷却剤を塗布することから、塗布された冷却剤が包帯やテープによる固定のための圧力及び湿布基材そのものの持つ粘着力などに応長して皮膜を形成するなどして、通気性の阻害因子となってしまう課題があった。
また、塗布された冷却剤に含有される薬分の刺激で冷涼感を人体に感覚として与える効果も、薬剤成分を含んだ湿布材そのものの温度が人体の体温に近くなれば冷涼感の効力は半減するということも課題であった。
人体に湿布を包帯で巻きつけて固定した時は、包帯自体が保温材となり放熱効果を妨げることになり、湿布の効力低下が更に早まることも課題であった。【０００５】そこで、この発明は、冷却剤の温度が従来の技術で作られたものよりも上昇しにくくなるような構造の湿布基材を提供することと、その基材に湿布剤を塗布して従来技術によって作られた湿布材よりも長い時間冷涼感と冷却力を維持することが可能な湿布基材の提供をすることを課題とする。
【課題を解決するための手段】
【０００６】  以上の課題を解決するための手段として第一発明は、湿布剤を塗布するための湿布基材に対して図７、図８、のような波型の凹凸をつけた形状を特徴とする湿布基材である。【０００７】  また、第二発明は、図５に示すように、波型に凹凸をつけた湿布基材の人体に接触する凸部に対して冷涼感を感じる冷却剤を塗布して、冷却効果を強めた冷湿布である。
【発明の効果】
【０００８】  第一発明によれば、図１に示すように凹凸で形成された湿布基材は孔により外気と交通することが可能となって通気性が確保される。体温で上昇した孔の中の空気は外気と交通する空気の流通や対流により孔外へ排出されて新鮮な冷たい空気と置き換わる。その結果湿布基材２は体温による温度の上昇を回避することができて所望の冷却効果を維持することができる。【０００９】  第二発明によれば、図５に示すように冷涼感と吸熱性の成分を持つ湿布剤を湿布材凸部に塗布して人体にあてたとき、第一発明で得られた０００８の効果から、塗布された冷却剤が体温で温められて温度が上昇しても、湿布基材がその熱を吸収して外気へ排出する作用を行うことで湿布剤の効力を維持することができる。
【発明を実施するための最良の形態】
【実施例１】
【００１０】  この発明の実施形態を、図１に示す。
２の湿布基材は加熱することにより任意の強度と形状を設定できる素材を使用して任意の大きさの波型に成型した基材である。
この基材の人体接触面凸部には従来技術で使用されている冷却剤が塗布されている。
【実施例２】
【００１１】  この発明の実施形態を、図１１、図１２、図１３、図１４、図１５に示す。
湿布基材７はガーゼや薄い布に対して、加熱すると硬化して常温で硬くなる性質を持つ樹脂粉末を塗布したものである。湿布基材７に対して図１２、図１４に示すように金属棒などを利用して加熱処理を行い波型に成型して本発明の目的に合う湿布基材、図１５を作る。【００１２】この基材の人体接触面凸部には従来技術で使用されている冷却剤が塗布されている。
【実施形態の効果】
【００１３】  この実施形態によれば、図１、図２、図５、図６にしめすように、包帯または人体用粘着テープで湿布材を固定する時、両端が開口する位置に湿布基材に対する固定範囲を留めておくことにより図１、図２に示すように通気性が確保される。
人体皮膚に接触する凸部は円形状にして痛みを覚えない形状にする。
【００１４】「他の実施形態」
図５の実施形態では、冷却剤を湿布基材凸面に塗布しているが、他の実施形態では、人体接触面の凹凸部全面に塗布したものでも良い。
【産業上の利用可能性】
【００１５】持続して冷却効果が得られるための通気孔を確保した構造であることから、人体接着部の温度を吸熱して放熱する作用が起こる性質があり、打撲や捻挫の患部の冷却材として利用できる。
また、通気性が確保されることからカブレにくく、皮膚の過敏な人にも使用することができる。凹凸形状であることから強く皮膚面に押し当てても血流が凹部で確保され、スポーツで激しい動きをするような場合でも阻血性障害を意識せずに使用することが出来る。これらのことから従来技術では使用出来なかった分野での利用が期待できる。
【図面の簡単な説明】
【００１６】
【図１】この発明の一実施形態を示す斜視図である。
【図２】空気の流通を示す斜視図である。
【図３】従来技術による実施例を示す正面断面図である。
【図４】従来技術による実施例を示す側面図である。
【図５】本発明による実施例を示す正面図である。
【図６】本発明による実施例を示す側面図である。
【図７】本発明による製作例の正面やや上からの可視図である。
【図８】本発明による製作例の斜視図である。
【図９】本発明による湿布基材製作例の正面図である。
【図１０】本発明による製作例の側面図である。
【図１１】本発明による製作例に用いる湿布基材素材の正面図である
【図１２】本発明による湿布基材素材に対する加工例の斜視図である。
【図１３】本発明による製作例に用いる湿布基材素材の側面図である。
【図１４】本発明による湿布基材素材に対する加工例の側面図である。
【図１５】湿布基材の素材に加工を終えた湿布基材の斜視図である。
【図１６】従来技術による湿布材の通気性確保例斜視図である。
【図１７】従来技術による湿布材の通気性確保例斜視図である。
【図１８】従来技術による湿布材の通気性確保例斜視図である。
【符号の説明】
【００１７】    １    包帯、テープ、ガーゼなどの湿布材固定物。
２    加熱変形塑性素材を使用して作成した本発明による湿布基材。
３    空気の流れを示す線。
４    人体。
５    湿布剤。
６    従来技術による湿布基材。
７    本発明に利用する湿布基材用の素材。
８    湿布基材変形用加熱金属棒。
９    従来技術で湿布基材に対して碁盤目に塗布された湿布剤。
１０  従来技術で作られた湿布基材。
１１  従来技術で作られた湿布基材に開けられた通気孔。
１２  素材自体が通気性を持つもので作られた湿布基材。
【図１】
2007075563.tif 000003
【図２】
2007075563.tif 000004
【図３】
2007075563.tif 000005
【図４】
2007075563.tif 000006
【図５】
2007075563.tif 000007
【図６】
2007075563.tif 000008
【図７】
2007075563.tif 000009
【図８】
2007075563.tif 000010
【図９】
2007075563.tif 000011
【図１０】
2007075563.tif 000012
【図１１】
2007075563.tif 000013
【図１２】
2007075563.tif 000014
【図１３】
2007075563.tif 000015
【図１４】
2007075563.tif 000016
【図１５】
2007075563.tif 000017
【図１６】
2007075563.tif 000018
【図１７】
2007075563.tif 000019
【図１８】
2007075563.tif 000020